(57)【要約】【課題】車両への組み付け時において例えばドア等の開口縁のコーナー部の三次元形状への追従性あるいは車幅方向への追従性を向上することができるとともに、剛性を向上することができるトリム用インサートを提供する。【解決手段】複数の骨片１２を二列の第１及び第２連結部１３，１４によって互いに連結するとともに、各骨片１２の間にスリット１５，１６，１７を形成する。前記骨片１２に対し、前記第１連結部１３と対応するように抜き部１８を打ち抜き形成する。この抜き部１８の外周部にトリム用インサート１１が長手方向の引張力を受けたとき、塑性変形する第１〜第４変形許容部１２ａ，１２ｂ，１２ｃ，１２ｄを設ける。トリム用インサート１１がトリムに横断面Ｕ字状に埋設された状態で車両の開口縁にトリムを組み付ける際に前記各変形許容部１２ａ〜１２ｄが塑性変形されるので、車両の開口縁に対するトリムの組み付け作業性が向上する。【選択図】      図１
2005014792.tif 000002
【特許請求の範囲】
【請求項１】
トリムの高分子材料内に埋設される複数の骨片と、それらの骨片を所定の間隔をおいて相互に連結する二列の連結部とを備えた板金製のインサートにおいて、
前記二列の連結部の少なくとも一方の列の連結部と対応する骨片に抜き部を形成し、この抜き部の外周側に変形許容部を設けたことを特徴とするトリム用インサート。
【請求項２】
請求項１において、前記各骨片の間に形成された前記連結部よりも外側に形成されたスリットの開口端部には、口細り部が形成されているトリム用インサート。
【請求項３】
請求項１又は２において、前記変形許容部の幅寸法は、骨片の板厚寸法の２〜５倍の範囲に設定されているトリム用インサート。
【請求項４】
請求項１〜３のいずれか１項において、前記抜き部は、前記骨片の幅方向に短く、かつ長手方向に長くなるように形成されているトリム用インサート。
【請求項５】
請求項１〜４のいずれか１項において、前記変形許容部は平行に形成されているトリム用インサート。
【請求項６】
請求項１〜５のいずれか１項において、前記骨片には凸条が骨片の長手方向に指向するようにプレスにより成形されているトリム用インサート。
【発明の詳細な説明】
【０００１】
【発明の属する技術分野】
本発明は、自動車等のシール材又は装飾材として用いられるトリムの形状保持のためにゴム、樹脂等の高分子材料内に埋設されるトリム用インサートに関するものである。
【０００２】
【従来の技術】
図７はウェザーストリップ１の横断円形状を示す。ウェザーストリップ１は、断面ほぼＵ字形のトリム本体５と、その内側に突設されたフランジ保持リップ６とからなるトリム２を備えている。このフランジ保持リップ６は、車体パネル等の開口部のフランジ部（図示略）を挟持して、ウェザーストリップ１を車体パネル上に保持するためのものである。前記トリム本体５の車内側側壁の車内側には、車体パネルに当接するリップ部３が一体に形成されている。トリム本体５の車外側側壁の車外側には、ドアパネル（図示略）の外周部に弾性的に当接して、そのドアパネルと車体パネルとの間をシールする中空シール部４が突出形成されている。トリム本体５の内部には、板金製のトリム用インサート２１が埋設されている。
【０００３】
トリム本体５に埋設されるインサート２１としては、図８に示すように例えば複数の骨片２２が二列の連結部２３，２４によって所定の間隔（スリット２５，２６，２７）をおいて相互に連結された梯子状のものが知られている。
【０００４】
上記従来のトリム用インサート２１は、複数の骨片２２が二列の連結部２３，２４によって互いに連結されているので、車両へのウェザーストリップ１の組み付け作業時において、例えばドア開口縁のコーナー部の三次元形状への追従性あるいは車幅方向への追従性が悪く、作業能率が低下するという問題があった。
【０００５】
上記の問題を解消するため、従来、前記二列の連結部２３，２４のうち一方の連結部２３を交互に離隔切断したトリム用インサートが提案されている（特許文献１参照）。又、連結部２３の一つおきに孔を形成したトリム用インサートが提案されている（特許文献２参照）。さらに、連結部２３に分離用溝が間引き形成されたトリム用インサートも提案されている（特許文献３参照）。
【０００６】
【特許文献１】
実開昭５６−４８９３７号公報
【特許文献２】
特許第３０１５０２５号
【特許文献３】
特開平１１−４８３０４号公報
【０００７】
【発明が解決しようとする課題】
ところが、上記従来の特許文献１〜３に記載されたトリム用インサートは、車両へのトリムの組み付け時において例えばドア開口縁のコーナー部の三次元形状への追従性あるいは車幅方向への追従性が良くなる反面、各骨片を連結する連結部の強度が低下し、剛性が低くなり、トリムの強度を低下するという問題があった。
【０００８】
本発明の目的は、上記従来の技術に存する問題点を解消して、車両への組み付け時においてドア等の開口縁のコーナー部の三次元形状への追従性あるいは車幅方向への追従性を向上することができるとともに、剛性を向上することができるトリム用インサートを提供することにある。
【０００９】
【課題を解決するための手段】
上記問題点を解決するために、請求項１に記載の発明は、トリムの高分子材料内に埋設される複数の骨片と、それらの骨片を所定の間隔をおいて相互に連結する二列の連結部とを備えた板金製のインサートにおいて、前記二列の連結部の少なくとも一方の列の連結部と対応する骨片に抜き部を形成し、この抜き部の外周側に変形許容部を設けたことを要旨とする。
【００１０】
請求項２に記載の発明は、請求項１において、前記各骨片の間に形成された前記連結部よりも外側に形成されたスリットの開口端部には、口細り部が形成されていることを要旨とする。
【００１１】
請求項３に記載の発明は、請求項１又は２において、前記変形許容部の幅寸法は、骨片の板厚寸法の２〜５倍の範囲に設定されていることを要旨とする。
請求項４に記載の発明は、請求項１〜３のいずれか１項において、前記抜き部は、前記骨片の幅方向に短く、かつ長手方向に長くなるように形成されていることを要旨とする。
【００１２】
請求項５に記載の発明は、請求項１〜４のいずれか１項において、前記変形許容部は平行に形成されていることを要旨とする。
請求項６に記載の発明は、請求項１〜５のいずれか１項において、前記骨片には長手方向に凸条がプレスによって成形されていることを要旨とする。
【００１３】
（作用）
請求項１記載の発明は、二列の連結部の少なくとも一方の列の連結部と対応する骨片に抜き部を形成し、この抜き部の外周側に変形許容部を設けたので、車両の開口端縁にトリムを組み付ける際に、トリムに埋設されたインサートが変形許容部において伸長し、例えばドア開口縁のコーナー部の三次元形状への追従性あるいは車幅方向への追従性がよくなり、組み付け作業性が向上する。又、変形許容部が分離されることはないので、剛性を確保することができる。
【００１４】
請求項２記載の発明は、請求項１において、各骨片の間に形成された前記連結部よりも外側に形成されたスリットの開口端部には、口細り部が形成されている。このため、トリム用インサートを用いてトリムを押出成型装置により押し出し成型する際に、スリット内に高分子材料が過剰に充填されるのを無くして、トリム本体の表面の凹凸を無くし意匠性を向上することができる。
【００１５】
請求項３記載の発明は、変形許容部の幅寸法が、骨片の板厚寸法の２〜５倍の範囲に設定されている。このため、変形許容部の剛性を確保し、かつ塑性変形を円滑に行うことができる。
【００１６】
請求項４記載の発明は、抜き部は、骨片の幅方向に短く、かつ長手方向に長くなるように形成されている。このため、抜き部の外周部に適正長さの変形許容部を容易に形成することができる。
【００１７】
請求項５記載の発明は、変形許容部が平行に形成されているので、変形を円滑に行うことができる。
請求項６記載の発明は、骨片には凸条が骨片の長手方向に指向するようにプレスにより成形されているので、骨片の剛性を向上することができる。
【００１８】
【発明の実施の形態】
以下、本発明を自動車等の開口部のフランジ部に装着されるトリムを備えたウェザーストリップに具体化した一実施形態について図１〜図５に基づいて説明する。
【００１９】
図４に示すように、ウェザーストリップ１は、例えばＥＰＤＭ（エチレン・プロピレン・ジエン三元共重合体）ソリッドゴムからなる断面ほぼＵ字形のトリム本体５と、その内側に突設されたフランジ保持リップ６とからなるトリム２を備えている。このフランジ保持リップ６は、車体パネル等の開口部のフランジ部（図示略）を挟持して、ウェザーストリップ１を車体パネル上に保持するためのものである。前記トリム本体５の車内側側壁の車内側には、車体パネルに当接するリップ部３が一体に形成されている。トリム本体５の車外側側壁の車外側には、ドアパネル（図示略）の外周部に弾性的に当接して、そのドアパネルと車体パネルとの間をシールする中空シール部４がＥＰＤＭスポンジゴムで突出形成されている。トリム本体５の内部には、板金製のトリム用インサート１１が埋設されている。
【００２０】
前記トリム用インサート１１は、例えば厚さ約０．５ｍｍの板金からなり、その長手方向に所定の間隔をおいて互いに平行に連結された多数の骨片１２〜１２と、各骨片１２の相互間を二列に連結する第１連結部１３及び第２連結部１４を備えている。前記第１連結部１３の外側の骨片１２〜１２の間には先端を開口したスリット１５が形成されている。又、前記第１連結部１３及び第２連結部１４の間には細長孔状のスリット１６が形成されている。さらに、前記第２連結部１４の外側の骨片１２〜１２の間には先端を開口したスリット１７が形成されている。
【００２１】
ウェザーストリップ１の車体組み付け時には、例えばドア開口縁のコーナー部において、そのコーナー部の湾曲に沿わせて第１連結部１３側を湾曲させる必要がある。このため、前記トリム用インサート１１には、断面ほぼＵ字形の折り曲げ形態で長手方向に対し三次元的に湾曲できる機能が必要となる。このため、次の構成がとられている。
【００２２】
前記各骨片１２の一部には前記第１連結部１３と対応する位置に抜き部１８がそれぞれ打ち抜き形成されている。前記抜き部１８は図２に示すように骨片１２の板厚方向（紙面直交方向）から見て骨片１２の幅方向に短く、かつ長手方向に長くなる菱形状に形成されている。
【００２３】
前記抜き部１８の外側の第１傾斜辺１８ａと平行になるように、前記スリット１５の内側には第１傾斜部１５ａが形成されている。同様に前記抜き部１８の外側の第２傾斜辺１８ｂと平行になるように別のスリット１５の内側には第２傾斜部１５ｂが形成されている。前記スリット１５の第１傾斜部１５ａ、第２傾斜部１５ｂの外側には第３傾斜部１５ｃ，第４傾斜部１５ｄが形成されている。スリット１５の開口端部には第１〜第４傾斜部１５ａ〜１５ｄの最大幅寸法よりも小さい口細り部１５ｅが形成されている。
【００２４】
前記抜き部１８の第１傾斜辺１８ａとスリット１５の第１傾斜部１５ａによって形成される平行状の部分は、第１変形許容部１２ａとなっている。又、抜き部１８の第２傾斜辺１８ｂとスリット１５の第２傾斜部１５ｂとによって形成される平行状の部分は、第２変形許容部１２ｂとなっている。同様に、抜き部１８の第３傾斜辺１８ｃとスリット１６の内周縁との間には第３変形許容部１２ｃが形成されている。同様に、抜き部１８の第４傾斜辺１８ｄとスリット１６の内周面との間には第４変形許容部１２ｄが形成されている。前記第１〜第４変形許容部１２ａ〜１２ｄの幅寸法Ｗは、各骨片１２の板厚寸法の２〜５倍に設定されている。例えば、骨片１２の板厚寸法（図３の符号ｔ参照）が０．５ｍｍである場合には、１．０〜２．５ｍｍの範囲に設定されている。
【００２５】
前記骨片１２には、前記抜き部１８の近傍から抜き部１８と反対側に延びるように凸条部１９がプレスにより成形されている。この凸条部１９の隆起方向は、図４に示すようにトリム用インサート１１をＵ字状に湾曲したとき、外側に膨出するようにしても、内側に膨出するようにしてもよい。
【００２６】
ところで、ウェザーストリップ１の折り曲げ形態では、前記第１連結部１３及び抜き部１８がトリム本体５の車外側の側壁５ａに配置され、前記第２連結部１４はトリム本体５の車内側側壁５ｂに配置されるようになっている。
【００２７】
前記トリム用インサート１１は、図示しない打ち抜き装置を用いて帯状の板金に対して、該板金を間欠的に移動させて、前記スリット１５，１７、抜き部１８を順次打ち抜き形成するとともに、凸条部１９をプレス成形することにより製造される。
【００２８】
上記のように製造されたトリム用インサート１１は、一旦リールに巻き取られ、図示しない押し出し成形装置に供給される。この装置によって平板状のトリム用インサート１１に対して、該トリム用インサート１１を芯材として図１に二点鎖線で示すようにトリム本体５及びフランジ保持リップ６をＥＰＤＭソリッドゴムで押し出し成型するのと同時に、中空シール部４をＥＰＤＭスポンジゴムで押し出し形成する。その後、押し出されたウェザーストリップ１を、図示しない加硫槽に通して、ＥＰＤＭゴムを加硫させた後に引取機で引きとる。
【００２９】
次に、平板状のウェザーストリップ１を図示しない曲げ加工機に案内し、この曲げ加工機において、トリム２を断面ほぼＵ字形状に塑性変形させる。その結果、図４に示す断面形状のウェザーストリップ１が製造される。
【００３０】
上記実施形態のトリム用インサートによれば、以下のような特徴を得ることができる。
（１）上記実施形態では、各骨片１２に対して各第１連結部１３と対応するように抜き部１８を形成し、抜き部１８の外周部に第１〜第４変形許容部１２ａ〜１２ｄを形成した。このため、図４に示すようにウェザーストリップ１に埋設されたトリム用インサート１１の第１連結部１３が該インサート１１の長手方向への引張力を受けたときに前記第１〜第４変形許容部１２ａ〜１２ｄが塑性変形して長手方向に伸びる。これにより、ウェザーストリップ１を車両の例えばドアの開口縁のコーナー部において、そのコーナー部の湾曲に沿うようにトリム２を三次元的に湾曲したときに、トリム用インサート１１の骨片１２が第１連結部１３と対応する部分において伸長される。又、ドアの開口縁の車幅方向の湾曲に沿うようにトリム２を二次元的に湾曲したときにも、トリム用インサート１１の骨片１２が第１連結部１３と対応する部分において伸長される。この結果、ウェザーストリップ１の湾曲作業時の追従性が向上する。又、塑性変形した状態において第１〜第４変形許容部１２ａ〜１２ｄが分断されることはないので、骨片１２の剛性が低下することはなく、トリム用インサート１１によるトリム２の形状保持機能を確保することができる。
【００３１】
（２）上記実施形態では、抜き部１８を骨片１２の幅方向に短く、かつ長手方向に長い寸法の菱形状に形成したので、抜き部１８の内側の四つの第１〜第４傾斜辺１８ａ〜１８ｄと対応して四つの第１〜第４変形許容部１２ａ〜１２ｄを長く形成することができる。このため、前記第１連結部１３と対応する各骨片１２〜１２が離隔される方向への引張力を受けたとき、四つの第１〜第４変形許容部１２ａ〜１２ｄにおいて塑性変形が円滑に行われ、追従性が向上する。
【００３２】
（３）上記実施形態では、前記第１〜第４変形許容部１２ａ〜１２ｄの幅寸法Ｗを、骨片１２の板厚寸法ｔの２〜５倍としたので、第１〜第４変形許容部１２ａ〜１２ｄの塑性変形を円滑に行うことができる。２倍以下であると、骨片１２の剛性が低下し、５倍以上であると各第１〜第４変形許容部１２ａ〜１２ｄの塑性変形特性が損なわれる。
【００３３】
（４）上記実施形態では、第１連結部１３側のスリット１５の形状を開口端縁が幅狭となる口細り部１５ｅを形成した。このため、トリム用インサート１１を用いてウェザーストリップを押出成型装置により押し出し成型する際に、スリット１５内にＥＰＤＭソリッドゴムが過剰に充填されるのを無くして、トリム本体５の表面の凹凸を無くし意匠性を向上することができる。
【００３４】
なお、上記実施形態は以下のように変更してもよい。
○  図５に示すように、抜き部１８の形状を縦長孔状に形成したり、ほぼ楕円形状に形成したり、あるいは図示しないが幅狭のスリット状にしたりてもよい。
【００３５】
○  図６に示すように、骨片１２に対して第１連結部１３と対応する抜き部１８を一つおきに設けるとともに、第２連結部１４と対応して抜き部１８を一つおきに形成するようにしてもよい。
【００３６】
この別例では両連結部１３，１４と対応する骨片１２の第１〜第４変形許容部１２ａ〜１２ｄによる塑性変形が可能であるため、ウェザーストリップ１の湾曲作業時の追従性がさらに向上する。
【００３７】
○  トリム２及び中空シール部４をＥＰＤＭにより構成したが、それ以外のゴム、ポリ塩化ビニル等の軟質の樹脂材料等により構成してもよい。
○  前記中空シール部４を有しないトリムに具体化してもよい。
【００３８】
○  トリム用インサート１１を製造する板金として、例えば鉄板、アルミニウム板、銅板、ステンレス等の各種金属板等が挙げられる。
○  前記スリット１７の開口端部に口細り部を設けてもよい。
【００３９】
次に、上記実施形態及び別例から把握できる技術的思想について追記する。
（１）請求項１〜６のいずれか１項に記載されたトリム用インサートを備えたトリム。
【００４０】
【発明の効果】
以上詳述したように、この発明は、車両への組み付け時において例えばドア等の開口縁のコーナー部の三次元形状への追従性あるいは車幅方向への追従性を向上することができるとともに、剛性を向上することができる。
【図面の簡単な説明】
【図１】この発明のトリム用インサートを具体化した一実施形態を示す正面図。
【図２】トリム用インサートの要部を拡大して示す正面図。
【図３】図１のＡ−Ａ線拡大断面図。
【図４】ウェザーストリップの斜視図。
【図５】この発明の別例を示す部分正面図。
【図６】この発明の別例を示す部分正面図。
【図７】ウェザーストリップの横断面図。
【図８】従来のトリム用インサートの湾曲状態の斜視図。
【符号の説明】ｔ…板厚寸法、Ｗ…幅寸法、２…トリム、１１…インサート、１２…骨片、１３…第１連結部、１４…第２連結部、１５，１６，１７…スリット、１８…抜き部。
【図１】
2005014792.tif 000003
【図２】
2005014792.tif 000004
【図３】
2005014792.tif 000005
【図４】
2005014792.tif 000006
【図５】
2005014792.tif 000007
【図６】
2005014792.tif 000008
【図７】
2005014792.tif 000009
【図８】
2005014792.tif 000010